【事件の表示】
　特願２０１５−２２７９７４号「照明器具、照明システム」拒絶査定不服審判事件〔平成２９年６月１日出願公開、特開２０１７−９８０３４号、請求項の数（４）〕について、次のとおり審決する。
【結　論】
　原査定を取り消す。
　本願の発明は、特許すべきものとする。
【理　由】
１　手続の経緯
　本願は、平成２７年１１月２０日の出願であって、平成３０年１１月６日に明細書について補正する手続補正書が提出され、令和元年８月２６日付けで拒絶理由通知がされ、同年１０月９日に意見書が提出されるとともに、特許請求の範囲及び明細書について補正する手続補正書が提出され、令和２年２月１３日付けで拒絶理由通知（最後）がされ、同年３月９日に意見書が提出されるとともに、特許請求の範囲及び明細書について補正する手続補正書が提出されたが、同年７月８日付けで、同年３月９日の手続補正に対する補正の却下の決定がされるとともに、拒絶査定（以下、「原査定」という。）がされたものであり、それに対して同年１０月１日に拒絶査定不服審判の請求と同時に、特許請求の範囲及び明細書について補正する手続補正書が提出され、当審が令和３年４月２０日付けで拒絶理由通知をし、同年６月１８日に意見書が提出されるとともに、特許請求の範囲及び明細書について補正をする手続補正書が提出されたものである。
２　原査定の概要
　
　この出願の下記に係る発明は、その出願前に日本国内又は外国において、下記の頒布された刊行物に記載された発明又は電気通信回線を通じて公衆に利用可能となった発明に基いて、その出願前にその発明の属する技術の分野における通常の知識を有する者（以下、「当業者」という。）が容易に発明をすることができたものであるから、特許法第２９条第２項の規定により特許を受けることができない。
　　　　　　　　　　　　　　　　　　　　　　　　記
・請求項　１，４
・引用文献　１，２
・請求項　２
・引用文献　１，３
・請求項　３
・引用文献　１，４
・請求項　５〜７
・引用文献　５
・請求項　８
・引用文献　５，６
・請求項　９
・引用文献　５，１
・引用文献等一覧
１．特表２０１０−５０３９４８号公報
２．特開２００４−３０３６８５号公報
３．特開２００３−２９０２４９号公報
４．特開２００７−５９２８９号公報
５．特開２００９−２４４０４号公報
６．特開２００８−１３４８５７号公報
第３　本願発明
　本願の請求項１〜４に係る発明（以下、それぞれ、「本願発明１」〜「本願発明４」という。）は、令和３年６月１８日の手続補正書により補正された特許請求の範囲の請求項１〜４に記載された事項により特定される以下のとおりのものと認められる。なお、審判請求時の手続補正書により、原査定の対象となった請求項５〜９は削除された。
「【請求項１】
　照明器具と、
　非接触型情報記憶媒体の読み取りを行うリーダと通信し、前記照明器具を照明制御するコントローラと、
　を備え、
　前記リーダで前記非接触型情報記憶媒体に記憶されたＩＤ情報の読み取りが行われ、前記ＩＤ情報に前記照明器具がひもづけられている場合に、前記リーダに対する前記非接触型情報記憶媒体のかざし方の違いに基づいて、前記コントローラが照明制御を行い、
　前記非接触型情報記憶媒体の第一のかざし方を前記リーダが読み取ったときに前記照明器具の調光率を増加させ、前記非接触型情報記憶媒体の前記第一のかざし方と異なる第二のかざし方を前記リーダが読み取ったときに前記照明器具の調光率を低下させるように構築され、
　前記第一のかざし方と前記第二のかざし方は、前記リーダが前記ＩＤ情報を読み取ることで判別される照明システム。
　【請求項２】
　照明器具と、
　非接触型情報記憶媒体の読み取りを行うリーダと通信し、前記照明器具を照明制御するコントローラと、
　を備え、
　前記リーダで前記非接触型情報記憶媒体に記憶されたＩＤ情報の読み取りが行われ、前記ＩＤ情報に前記照明器具がひもづけられている場合に、前記リーダに対する前記非接触型情報記憶媒体のかざし方の違いに基づいて、前記コントローラが照明制御を行い、
　前記リーダに対して前記非接触型情報記憶媒体をかざし続ける時間の長短に基づいて、前記コントローラが複数の異なる照明制御を選択的に行い、
　前記非接触型情報記憶媒体をかざし続ける時間は、前記リーダによるデータ読み取り開始からデータ読み取り終了までの時間長である照明システム。
　【請求項３】
　照明器具と、
　非接触型情報記憶媒体の読み取りを行うリーダと通信し、前記照明器具を照明制御するコントローラと、
　を備え、
　前記リーダで前記非接触型情報記憶媒体に記憶されたＩＤ情報の読み取りが行われ、前記ＩＤ情報に前記照明器具がひもづけられている場合に、前記リーダに対する前記非接触型情報記憶媒体のかざし方の違いに基づいて、前記コントローラが照明制御を行い、
　前記リーダに対して前記非接触型情報記憶媒体を繰り返しかざした回数に基づいて、前記コントローラが複数の異なる照明制御を選択的に行い、
　前記かざした回数は、前記リーダによる前記ＩＤ情報の検出回数である照明システム。
　【請求項４】
　非接触型情報記憶媒体に記憶されたＩＤ情報の読み取りを行うリーダと通信し、前記ＩＤ情報に自身がひもづけられている場合に、前記リーダに対する前記非接触型情報記憶媒体のかざし方の違いに基づいて照明制御を行うように構築され、
　前記非接触型情報記憶媒体の第一のかざし方を前記リーダが読み取ったときに照明器具の調光率を増加させ、前記非接触型情報記憶媒体の前記第一のかざし方と異なる第二のかざし方を前記リーダが読み取ったときに前記照明器具の調光率を低下させるように構築され、
　前記第一のかざし方と前記第二のかざし方は、前記リーダが前記ＩＤ情報を読み取ることで判別される照明器具。」
第４　引用文献の記載事項等
１　引用文献１について
　引用文献１には、図面とともに以下の記載がある（下線は当審が付与。以下同様。）。
（１）「【要約】
　相互作用方法及びシステムは、場面データを含むカード310と、前記場面データを読み取るように構成される読み取り器320と、前記場面データと関連付けられる場面を提供するために、前記場面データに従い少なくとも１つの制御可能装置340を有効状態にさせるように構成される処理器350と、を有する。
光源
などの制御可能装置は
読み取り器320のスロットへカード310を挿入するステップ
に応答して有効状態にされる
（２）「【技術分野】
【０００１】
　本発明は、カード又はいずれかのタグをカード／タグ読み取り器へ挿入することに応答して、照明制御システムにおける
照明設定を選択及び制御する相互作用システム
（３）「【０００３】
　容易に且つ直感的に照明システムを制御する一方で、システム複雑性を隠すことは、システム自体における課題である。個別の光源を制御すること（例えば、調光又は色変化）の異なる相互作用の規範（例えば、制御関数の選択）に関して複数の解決法が存在する。これらの解決法は個別の光源へ調整されるが、システムの解決法へも多く場合同様に拡張される。しかし、ユーザの視点からは、ユーザの精神モデルは、利用可能な制御システム及びユーザ動作への応答と一致しないので、混乱及び不満を生じさせる。
【０００４】
　更に、異なる相互作用の規範が組み合わせられるようなシステムにおいて様々な解決法が組み合わせられる場合、ユーザにはより多くの混乱が生じる。単一の規範が使用される場合においても、個々の光源の設定を変化させることは、他の光源からおとずれる光の知覚に影響を及ぼし、したがって、全体照明経験（システム効果との称される）に影響を与える又は変化させることを注意しなければならない。したがって、好ましい／所定の光源及びその制御（の設定）の自動的な選択を可能にする、直感的であり且つシステム複雑性を隠すより簡単でより優れたユーザインターフェイスに関する必要性が存在する。」
（４）「【００１１】
　様々な実施例に従うシステム及び方法は、開始点として一群の光場面を提供し、ユーザの個人の好みに調整するために、様々な場面の個別の制御、及び／又は個別の若しくはグループ化された制御可能な光源の光源属性の制御を可能にし、したがって、初期場面から開始して容易に所望な場面を選択及び調整し得る。例えば、カード及び読み取り器の組み合わせは、開始点として１つの以上の場面からの選択を提供し、「一気に(in　one　go)」、選択された場面の調整を可能にする。場面の雰囲気を示すイラストが、カードに視覚化される。これらの視覚的イラストは、ユーザに対する初期選択の補佐として作用する。
カードが
読み取り器へ挿入されると、場面は有効状態にされ、読み取り器になお留まったままのカードインターフェイス、及び／又は読み取り器インターフェイスは、選択された場面を調整するように使用され得る
カードがディスク形状を有する場合、調光又は場面の色の変更などの場面制御は、調光又は色変更モードのそれぞれにおいて、読み取り器のスロットにおけるディスクを回転させることによって達成され得る
（５）「【００２１】
　図２Ａ−２Ｃは、少なくとも１つのカード及び読み取り器を含む相互作用システム２００の正面、側面及び上面図を示し、この場合、カード読み取り器２１０・２１５の上面図は、それぞれの
カード読み取り器２１０
円状カード２２０
（６）「【００２４】
　図２Ｃにおいて示されるように、複数の場面の表現が、
円状ディスク２２０
【００２５】
　
カード及び／又は読み取り器は
カードが挿入される又は読み取り器に置かれる際に無線で通信する
【００２６】
　選択された場面が、例えばスロットへのカード挿入又は読み取り器表面２３２へのカード配置をして有効状態にされると、有効状態にされた場面は、その後、読み取り器の及び／又はカードが読み取り器表面２３２へ配置され、アクセス可能なインターフェイスキー及び／又はスクリーンを有する場合にはカードのユーザインターフェイスを介して制御され得る。
【００２７】
　カード／読み取り器のインターフェイスキー／スクリーンを使用することに加えて又は代えて、有効状態にされる場面を制御することは、カードの形状に依存して特定の方向へカードを動かすことによって実行され得る。例えば、場面若しくは
個別の照明ユニット又は他の制御可能装置が
時計回り又は反時計回り２９７に長方形又はディスク形状カード２２０を回転させることにより
選択及び／又は制御され得る
（７）「【００２９】
　
図３は、図２において示される相互作用システム２００のブロック図３００を示す
カード３１０
読み取り器３２０
光源及び／又は投影器を含む様々な制御可能装置３４０
【００３０】
　読み取り器３２０は、読み取り器３２０によって読み取られるシステムメモリ３６０及び／又はカードメモリ３３０において記憶されるプログラムに基づく命令の実行などにより記述されように、所望な動作行動を実行するように構成される処理器３５０へ動作可能に結合される。システムメモリ３６０は、オペレーティングシステムなどの、システムオペレーションに関する他のデータを記憶する。例えば、
処理器３５０
（８）「【００３２】
　当然、読み出し器は、携帯型読み取り器であり得る、又は更なる携帯型読み取り器が、図２Ｂに示される壁２３４などの部屋表面へ固定される読み取り器に加えて設けられ得る。
携帯型読み取り器は
無線チャネルを介してシステム処理器３５０及び／又はカード３１０と通信する
システム処理器３５０は、制御可能装置３４０と無線で通信及び制御し
図２Ｃ
図３
（９）上記（５）及び（６）によれば、「円状カード２２０」、「円状ディスク２２０」及び「ディスク形状カード２２０」は同じものであり、以下は、主に「円状カード２２０」を用いるものとする。また、上記（７）の【００２９】によれば、図３は、図２に示される相互作用システム２００のブロック図であるから、図３に示される、「カード３１０」、「読み取り器３２０」は、それぞれ、図２Ｃに示される、「円状カード２２０」、「カード読み取り器２１０」に対応するものである。
（１０）上記（５）、上記（６）の【００２５】、上記（９）及び図２Ｃによれば、
カード読み取り器２１０は、円状カード２２０と無線で通信する
（１１）上記（７）、（９）、図２Ｃ及び図３によれば、
相互作用システム２００は、光源である制御可能装置３４０と、処理器３５０とを備える
処理器３５０は、カード読み取り器２１０と通信し、光源である制御可能装置３４０を制御する
相互作用システム２００は、円状カード２２０がカード読み取り器２１０に挿入された状態で、時計回り又は反時計回り２９７に円状カード２２０を回転させることにより、光源である制御可能装置３４０の調光又は色変更を行う
（１２）上記（９）〜（１１）を総合すると、引用文献１には、相互作用システム２００として、以下の発明（以下、「引用発明１−１」という。）が記載されていると認められる。
「光源である制御可能装置３４０と、
　円状カード２２０と無線で通信するカード読み取り器２１０と通信し、光源である制御可能装置３４０を制御する処理器３５０と、
を備え、
　円状カード２２０がカード読み取り器２１０に挿入された状態で、時計回り又は反時計回り２９７に円状カード２２０を回転させることにより、光源である制御可能装置３４０の調光又は色変更を行う相互作用システム２００。」
（１３）上記（１）によれば、光源などの制御可能装置３４０は、読み取り器３５０へカードを挿入することに応答して有効状態となるものであるから、上記（９）も参酌すると、
光源である制御可能装置３４０は、円状カード２２０と無線で通信するカード読み取り器２１０と通信する
光源である制御可能装置３４０は、円状カード２２０がカード読み取り器２１０に挿入された状態で、時計回り又は反時計回り２９７に円状カード２２０を回転させることにより、調光又は色変更を行うよう構成される
（１４）上記（１３）によれば、引用文献１には、光源である制御可能装置３４０として、以下の発明（以下、「引用発明１−２」という。）が記載されていると認められる。
「円状カード２２０と無線で通信するカード読み取り器２１０と通信し、
　円状カード２２０がカード読み取り器２１０に挿入された状態で、時計回り又は反時計回り２９７に円状カード２２０を回転させることにより、調光又は色変更を行うよう構成される、光源である制御可能装置３４０。」
２　引用文献２について
　引用文献２には、図面とともに以下の記載がある。
（１）「【００１０】
【発明の実施の形態】
第１の実施形態に係る
照明器具用制御装置
図１はこの制御装置の使用方法について示している。（Ａ）において、１０で示す装置は、例えば床やテーブル上に設置した照明器具用制御装置である。この制御装置１０に、上方の反射物体（この例では、この制御装置１０を利用しようとする人の手Ｈ）までの距離を計測する距離計測手段を備えている。この例では距離区間として区間Ａ、区間１、区間２、区間３をそれぞれ設定していて、区間１に手をかざせば第１の照明器具の点灯／消灯状態が反転し、区間２に手をかざせば第２の照明器具の点灯／消灯状態が反転し、同様に区間３に手をかざせば第３の照明器具の点灯／消灯状態が反転する。さらに、区間Ａに手をかざせば第１〜第３の全ての照明器具が点灯または消灯する。
【００１１】
第２の照明器具が消灯状態である時、図１の（Ａ）に示すように、手Ｈを区間２にかざせば第２の照明器具が点灯する。そして、手Ｈを制御装置１０の上面（距離計測部）からの距離が変わるように上下動すると、それに合わせて第２の照明器具の明るさが変化する。例えば手Ｈを高く上げるほど明るくなり、下げるほど暗くなる。このときの調光範囲と各区間とは関係が無く、
最初に手をかざした位置からの上下動の距離に応じて調光を行う
図１
３　引用文献３について
　引用文献３には、以下の記載がある。
（１）「【０００１】
【発明の属する技術分野】本発明は歯科医院において歯の治療を行う時に患者の口腔内を照明する
デンタルライト
患者の治療を行うための照度とコンポジットレジンを使用している時の治療時の照度との切り換えを、非接触型センサに手をかざす等することによって行う
（２）「【０００５】本発明は前記した問題点を解決せんとするもので、その目的とするところは、デンタルライトの通常の治療時における照度とコンポジットモード時の照度の変更をスイッチに触れることなく行え、また、
デンタルライトのオン・オフと前記照度の切り換えとを非接触型センサにかざす時間によって選択することが可能
４　引用文献４について
　引用文献４には、以下の記載がある。
（１）「【００２２】
　したがって、
照明装置１００の点灯／消灯を切り替えたい使用者は、一旦手をかざした後、５秒以内に再び手をかざすという動作を行わなければならない
第５　対比・判断
１　本願発明１について
（１）対比
　本願発明１と引用発明１−１とを対比すると、後者における「光源である制御可能装置３４０」は、前者における「照明器具」に相当し、以下同様に、「カード読み取り器２１０」は「リーダー」に、「通信」することは「通信」することに、「処理器３５０」は「コントローラ」に、「備え」ることは「備え」ることに、「相互作用システム２００」は「光源である制御可能装置３４０の調光又は色変更を行う」から「照明システム」に相当する。
　後者における「円状カード２２０」は、カード読み取り器２１０と無線で通信することにより、カード読み取り器２１０が円状カード２２０のデータを読み取るものであるから、前者における「非接触型情報記憶媒体」に相当し、後者における「円状カード２２０と無線で通信するカード読み取り器２１０と通信し、光源である制御可能装置３４０を制御する処理器３５０」は、前者における「非接触型情報記憶媒体の読み取りを行うリーダと通信し、前記照明器具を照明制御するコントローラ」に相当する。
　そうすると、本願発明１と引用発明との一致点及び相違点は、以下のとおりとなる。
＜一致点１＞
「照明器具と、
　非接触型情報記憶媒体の読み取りを行うリーダと通信し、前記照明器具を照明制御するコントローラと、
　を備える、
　照明システム。」
＜相違点１＞
　本願発明１は、「前記リーダで前記非接触型情報記憶媒体に記憶されたＩＤ情報の読み取りが行われ、前記ＩＤ情報に前記照明器具がひもづけられている場合に、
前記リーダに対する前記非接触型情報記憶媒体のかざし方の違いに基づいて、前記コントローラが照明制御を行い
、前記第一のかざし方と前記第二のかざし方は、前記リーダが前記ＩＤ情報を読み取ることで判別される
　引用発明１−１は、「円状カード２２０がカード読み取り器２１０に挿入された状態で、時計回り又は反時計回り２９７に円状カード２２０を回転させることにより、光源である制御可能装置３４０の調光又は色変更を行う」点。
（２）判断
　相違点１について検討する。
　引用文献２には、照明器具用制御装置において、最初に手をかざした位置からの上下動の距離に応じて調光を行うこと等が記載されているが、
リーダが非接触型情報記憶媒体からＩＤ情報を読み取ることで判別される、リーダに対する非接触型情報記憶媒体のかざし方
　よって、引用発明１−１に、引用文献２に記載された事項を適用しても、相違点１に係る本願発明１の構成にはならない。
　そして、相違点１に係る本願発明１の構成により、本願発明１は、「『かざし方の違い』に基づいた照明制御を行うので、１つの記憶媒体を用いて実現可能な照明制御の種類を増やすことができる。」（本願の明細書の段落【００２５】）という格別の作用・効果を奏するものである。
　なお、原査定において、請求項２に対し引用された引用文献３には、デンタルライトのオン・オフと照度の切り換えとを非接触型センサに手をかざす時間によって選択すること等が記載され、請求項３に対し引用された引用文献４には、一旦手をかざした後、５秒以内に再び手をかざすという動作を行うことによって、照明装置の点灯／消灯を切り替えること等が記載されているが、いずれにも、リーダが非接触型情報記憶媒体からＩＤ情報を読み取ることで判別される、リーダに対する非接触型情報記憶媒体のかざし方について、何ら記載されておらず、示唆もない。
　以上によれば、本願発明１は、引用発明１−１及び引用文献２に記載された事項に基いて、当業者が容易に発明をすることができたものであるとはいえない。
２　本願発明２について
（１）対比
　上記１（１）を参照すると、本願発明２と引用発明１−１の一致点は、上記一致点１と同じであり、その相違点は以下のとおりとなる。
＜相違点２＞
　本願発明２は、「前記リーダで前記非接触型情報記憶媒体に記憶されたＩＤ情報の読み取りが行われ、前記ＩＤ情報に前記照明器具がひもづけられている場合に、前記リーダに対する前記非接触型情報記憶媒体のかざし方の違いに基づいて、前記コントローラが照明制御を行い、
前記リーダに対して前記非接触型情報記憶媒体をかざし続ける時間の長短に基づいて、前記コントローラが複数の異なる照明制御を選択的に行い、前記非接触型情報記憶媒体をかざし続ける時間は、前記リーダによるデータ読み取り開始からデータ読み取り終了までの時間長である
　引用発明１−１は、「円状カード２２０がカード読み取り器２１０に挿入された状態で、時計回り又は反時計回り２９７に円状カード２２０を回転させることにより、光源である制御可能装置３４０の調光又は色変更を行う」点。
（２）判断
　相違点２について検討する。
　引用文献３には、
リーダによるデータ読み取り開始からデータ読み取り終了までの時間長の長短に基づいて、異なる照明制御を選択的に行うこと
　そして 、相違点２に係る本願発明２の構成により、本願発明２は、「『かざし続ける時間の長短』に基づいた照明制御を行うので、１つの記憶媒体を用いて実現可能な照明制御の種類を増やすことができる。」（本願の明細書の段落【００２５】）という格別の作用・効果を奏するものである。
　なお、原査定において、請求項１に対し引用された引用文献２、及び、請求項３に対し引用された引用文献４には、いずれにも、リーダが非接触型情報記憶媒体からＩＤ情報を読み取ることで判別される、リーダに対する非接触型情報記憶媒体のかざし方について、何ら記載されておらず、示唆もない。
　以上によれば、本願発明２は、引用発明１−１及び引用文献３に記載された事項に基いて、当業者が容易に発明をすることができたものであるとはいえない。
３　本願発明３について
（１）対比
　上記１（１）を参照すると、本願発明３と引用発明１−１の一致点は、上記一致点１と同じであり、その相違点は以下のとおりとなる。
＜相違点３＞
　本願発明３は、「前記リーダで前記非接触型情報記憶媒体に記憶されたＩＤ情報の読み取りが行われ、前記ＩＤ情報に前記照明器具がひもづけられている場合に、前記リーダに対する前記非接触型情報記憶媒体のかざし方の違いに基づいて、前記コントローラが照明制御を行い、
前記リーダに対して前記非接触型情報記憶媒体を繰り返しかざした回数に基づいて、前記コントローラが複数の異なる照明制御を選択的に行い、前記かざした回数は、前記リーダによる前記ＩＤ情報の検出回数である
　引用発明１−１は、「円状カード２２０がカード読み取り器２１０に挿入された状態で、時計回り又は反時計回り２９７に円状カード２２０を回転させることにより、光源である制御可能装置３４０の調光又は色変更を行う」点。
（２）判断
　相違点３について検討する。
　引用文献４には、
リーダによる非接触型情報記憶媒体からのＩＤ情報の検出回数に基づいて、異なる照明制御を選択的に行うこと
　そして 、相違点３に係る本願発明３の構成により、本願発明３は、「『繰り返しかざした回数』に基づいた照明制御を行うので、１つの記憶媒体を用いて実現可能な照明制御の種類を増やすことができる。」（本願の明細書の段落【００２５】）という格別の作用・効果を奏するものである。
　なお、原査定において、請求項１に対し引用された引用文献２、及び、請求項２に対し引用された引用文献３には、いずれにも、リーダが非接触型情報記憶媒体からＩＤ情報を読み取ることで判別される、リーダに対する非接触型情報記憶媒体のかざし方について、何ら記載されておらず、示唆もない。
　以上によれば、本願発明３は、引用発明１−１及び引用文献４に記載された事項に基いて、当業者が容易に発明をすることができたものであるとはいえない。
４　本願発明４について
（１）対比
　上記１（１）を参照すると、本願発明４と引用発明１−２の一致点及び相違点は、以下のとおりとなる。
＜一致点２＞
「非接触型情報記憶媒体の読み取りを行うリーダと通信する、照明器具。」
＜相違点４＞
　本願発明４は、「前記ＩＤ情報に自身がひもづけられている場合に、
前記リーダに対する前記非接触型情報記憶媒体のかざし方の違いに基づいて照明制御を行う
前記第一のかざし方と前記第二のかざし方は、前記リーダが前記ＩＤ情報を読み取ることで判別される
　引用発明１−２は、「円状カード２２０がカード読み取り器２１０に挿入された状態で、時計回り又は反時計回り２９７に円状カード２２０を回転させることにより、調光又は色変更を行うよう構成される」点。
（２）判断
　相違点４について検討する。
　相違点４は相違点１と同様であるから、上記１（２）で説示したのと同様に、引用発明１−２に、引用文献２に記載された事項を適用しても、相違点４に係る本願発明４に構成にはならない。
　そして、相違点４に係る本願発明４の構成により、本願発明４は、「『かざし方の違い』に基づいた照明制御を行うので、１つの記憶媒体を用いて実現可能な照明制御の種類を増やすことができる。」（本願の明細書の段落【００２５】）という格別の作用・効果を奏するものである。
　なお、原査定において、請求項２に対し引用された引用文献３、及び、請求項３に対し引用された引用文献４には、いずれにも、リーダが非接触型情報記憶媒体からＩＤ情報を読み取ることで判別される、リーダに対する非接触型情報記憶媒体のかざし方について、何ら記載されておらず、示唆もない。
　以上によれば、本願発明４は、引用発明１−２及び引用文献２に記載された事項に基いて、当業者が容易に発明をすることができたものであるとはいえない。
第６　原査定についての判断
　上記第５で説示したとおり、当業者であっても、本願発明１，４は、引用文献１に記載された発明及び引用文献２に記載された事項に基いて、本願出願前に当業者が容易に発明をすることができたものであるといえず、本願発明２は、引用文献１に記載された発明及び引用文献３に記載された事項に基いて、本願出願前に当業者が容易に発明をすることができたものであるといえず、本願発明３は、引用文献１に記載された発明及び引用文献４に記載された事項に基いて、本願出願前に当業者が容易に発明することができたものであるとはいえない。
　したがって、原査定の拒絶理由は維持できない。
第７　当審拒絶理由について
・特許法第３６条第６項第２項について
　当審では、請求項２には、「前記非接触型情報記憶媒体をかざし続ける時間は、前記リーダによる
前記
ＩＤ情報の読み取り開始から前記ＩＤ情報の読み取り終了までの時間長
かざし続ける時間の長短に基づいて
データ読み取り
データ読み取り
第８　むすび
　以上のとおり、原査定の理由及び当審の理由によっては、本願を拒絶することはできない。
　また、他に本願を拒絶すべき理由を発見しない。
　よって、結論のとおり審決する。